(57)【要約】【課題】エッジガイドの幅方向における位置を固定するための手段を備えると、記録媒体ガイド装置が大型化してしまうという課題がある。また、記録媒体ガイド装置に積載された記録媒体が、給送方向に対して傾斜してしまうという課題がある。【解決手段】第１の摺動面と、第１の摺動面と平行に並ぶ第２の摺動面とが設けられ、用紙を積載する記録媒体積載部と、用紙の幅方向Ｄ１に移動する移動部２と、移動部２に設けられ、用紙の幅方向Ｄ１における用紙の端部を規制するエッジガイド３と、を備え、移動部２には、第１の摺動面に摺動可能に給送方向Ｄ２から当接する当接部２０と、用紙の幅方向Ｄ１における当接部２０の位置で、第２の摺動面に摺動可能に給送方向Ｄ２から当接し、第２の摺動面を給送方向Ｄ２に付勢する付勢部としての板状当接部材２１とコイルバネ５と、が備えられた記録媒体ガイド装置を提供する。【選択図】図５
2012111631.tif 000002
【特許請求の範囲】
【請求項１】
記録される記録媒体の幅方向に伸び、前記幅方向と直交する給送方向側に面が形成された第１の摺動面と、前記第１の摺動面と平行に並び、前記給送方向側に面が形成された第２の摺動面とを有し、前記記録媒体を積載する記録媒体積載部と、
前記記録媒体積載部において前記幅方向に移動する移動部と、
前記移動部に設けられ、前記幅方向における前記記録媒体の端部を規制するエッジガイドと、を備え、
前記移動部には、前記第１の摺動面に摺動可能に前記給送方向から当接する当接部と、前記幅方向における前記当接部の位置で、前記第２の摺動面に摺動可能に前記給送方向から当接し、前記第２の摺動面を前記給送方向に付勢する付勢部と、が備えられたことを特徴とする記録媒体ガイド装置。
【請求項２】
請求項１に記載の記録媒体ガイド装置であって、
前記当接部と前記付勢部とを、前記エッジガイドの内部に備えたことを特徴とする記録媒体ガイド装置。
【請求項３】
請求項２に記載の記録媒体ガイド装置であって、
前記当接部は、前記エッジガイドの前記給送方向における中央の位置より上流側に設けられていることを特徴とする記録媒体ガイド装置。
【請求項４】
請求項２または請求項３に記載の記録媒体ガイド装置であって、
前記付勢部は、前記給送方向と反対方向に付勢することを特徴とする記録媒体ガイド装置。
【請求項５】
請求項１から請求項４のいずれか一項に記載の記録媒体ガイド装置を備えた給送装置。
【請求項６】
文字や画像を記録する記録部と、
請求項５に記載の給送装置を備えた記録装置。
【発明の詳細な説明】
【技術分野】
【０００１】
本発明は、記録媒体ガイド装置、給送装置、記録装置に関する。
【背景技術】
【０００２】
複写機やプリンターやファクシミリなどの記録装置には、用紙などの記録媒体の幅方向に移動可能なエッジガイドが備えられた記録媒体ガイド装置によって、用紙の幅方向の端部の位置を規制し、用紙が記録装置に供給される。使用者は、用紙のサイズに応じて、エッジガイドを用紙の幅方向に移動させて、用紙の幅方向の位置を固定する。
例えば、特許文献１では、用紙を積載する被記録材載置面部の表面にノッチ列を設け、ノッチに係止して固定状態を実現する係止突起を備えることによって、エッジガイドの幅方向における位置を固定する方法が開示されている。
【先行技術文献】
【特許文献】
【０００３】
【特許文献１】特開２００８−６３１４３号公報
【発明の概要】
【発明が解決しようとする課題】
【０００４】
しかしながら、特許文献１の方法では、ノッチと係止突起とが係合する状態と離脱する状態を切り換えるため、揺動つまみを備えた操作部を設けなくてはならない。そのため、記録媒体ガイド装置における用紙の幅方向や、用紙の厚み方向の長さが長くなってしまう。このように、エッジガイドの用紙の幅方向における位置を固定するための手段を備えると、記録媒体ガイド装置が大型化してしまうという課題がある。また、特許文献１の方法では、使用者がエッジガイドを用紙の幅方向に移動させたとき、エッジガイドが用紙の幅方向と直交する給送方向に対して傾斜する場合がある。そのため、記録媒体ガイド装置に積載された用紙が給送方向に対して傾斜してしまうという課題がある。
【課題を解決するための手段】
【０００５】
本発明は、上述の課題の少なくとも一部を解決するためになされたものであり、以下の形態または適用例として実現することが可能である。
【０００６】
［適用例１］記録される記録媒体の幅方向に伸び、前記幅方向と直交する給送方向側に面が形成された第１の摺動面と、前記第１の摺動面と平行に並び、前記給送方向側に面が形成された第２の摺動面とを有し、前記記録媒体を積載する記録媒体積載部と、前記記録媒体積載部において前記幅方向に移動する移動部と、前記移動部に設けられ、前記幅方向における前記記録媒体の端部を規制するエッジガイドと、を備え、前記移動部には、前記第１の摺動面に摺動可能に前記給送方向から当接する当接部と、前記幅方向における前記当接部の位置で、前記第２の摺動面に摺動可能に前記給送方向から当接し、前記第２の摺動面を前記給送方向に付勢する付勢部と、が備えられたことを特徴とする記録媒体ガイド装置。
【０００７】
この構成によれば、移動部には、第１の摺動面に摺動可能に給送方向から当接する当接部と、記録媒体の幅方向における当接部の位置で、第２の摺動面に摺動可能に給送方向から当接し、第２の摺動面を給送方向に付勢する付勢部と、が備えられる。これにより、記録媒体積載部に対する移動部の記録媒体の幅方向の位置を固定することができる。そのため、記録媒体積載部に移動部を固定するための手段としての係合部を設け、係合部における係合状態と非係合状態を切り換えるための操作部を設ける必要がない。従って、エッジガイドの記録媒体の幅方向における位置を固定するための手段を備えると、記録媒体ガイド装置が大型化してしまうことを抑制できる。
【０００８】
また、付勢部は、記録媒体積載部の第２の摺動面を給送方向から付勢するので、使用者がエッジガイドを手動で記録媒体の幅方向に移動させたとき、給送方向に対するエッジガイドの傾斜角度を小さくすることができる。これにより、給送方向に対して、記録媒体が傾斜してしまうことを抑制できる。
【０００９】
［適用例２］前記当接部と前記付勢部とを、前記エッジガイドの内部に備えたことを特徴とする上記記録媒体ガイド装置。
【００１０】
これにより、記録媒体ガイド装置の記録媒体の幅方向の長さを短くすることができる。
【００１１】
［適用例３］前記当接部は、前記エッジガイドの前記給送方向における中央の位置より上流側に設けられていることを特徴とする上記記録媒体ガイド装置。
【００１２】
この構成によれば、給送方向において、使用者がエッジガイドを持つ位置から当接部までの距離を小さくできる。そのため、使用者がエッジガイドの給送方向における中央の位置より上流側の位置を持ったとき、移動部を回転させようとする回転モーメントが小さくなるので、給送方向に対するエッジガイドの傾斜角度を小さくすることができる。
【００１３】
［適用例４］前記付勢部は、前記給送方向と反対方向に付勢することを特徴とする上記記録媒体ガイド装置。
【００１４】
移動部の自重および使用者が移動部を操作するときの力の作用方向により、移動部に備えられた当接部が、第１の摺動面に対して給送方向に力が作用するように、第１の摺動面に当接する。そこで、移動部に備えられた付勢部が第２の摺動面に対して給送方向と反対方向から付勢するようにすれば、当接部と第１の摺動面との間に隙間が生じることがないので、給送方向に対するエッジガイドの傾斜角度を小さくすることができる。
【００１５】
［適用例５］上記記録媒体ガイド装置を備えた給送装置。
【００１６】
［適用例６］文字や画像を記録する記録部と、上記給送装置を備えた記録装置。
【図面の簡単な説明】
【００１７】
【図１】インクジェットプリンターの外観斜視図。
【図２】給送装置の外観斜視図。
【図３】記録媒体ガイド装置の正面図。
【図４】記録媒体積載部の一部外観斜視図。
【図５】移動部の外観斜視図。
【図６】エッジガイドと記録媒体積載部の断面図。
【図７】移動本体部と記録媒体積載部の断面図。
【図８】付勢部を構成する一つの部材としての板状バネをエッジガイドに備えた図。
【図９】（ａ）本実施形態における第１の摺動面、第２の摺動面、当接部、付勢部を配置した模式図、（ｂ）は、第１の摺動面と第２の摺動面を押し広げるように、第１の摺動面、第２の摺動面、当接部、付勢部を配置した模式図。
【発明を実施するための形態】
【００１８】
以下、本発明の実施形態について、図面を参照して説明する。
（実施形態）
図１は、本実施形態における記録装置としてのインクジェットプリンター（以降はプリンターという）１００の外観斜視図である。プリンター１００には、記録媒体ガイド装置１が側壁３４，３５に備えられる。記録媒体ガイド装置１は、記録媒体としての用紙Ｐを積載する記録媒体積載部６、記録媒体積載部６に対して用紙の幅方向（以降は幅方向という）Ｄ１に移動可能な移動部２を含んで構成される。
【００１９】
移動部２には、エッジガイド３が備えられ、エッジガイド３の幅方向Ｄ１における位置によって、用紙Ｐの図面左側の端部の位置が規制される。用紙Ｐの図面右側の端部は、側壁３５の側壁面３５ａによって規制される。
【００２０】
用紙Ｐは、記録媒体積載部６から幅方向Ｄ１と直交する給送方向Ｄ２に移動し、プリンター１００の給送用開口部４７から筐体４０内部に供給される。
【００２１】
記録媒体ガイド装置１の給送方向Ｄ２における下流側に、記録部が備えられる。記録部は、キャリッジ４４を幅方向Ｄ１に移動するキャリッジ移動部と、用紙Ｐを搬送経路に沿って搬送する用紙搬送部（不図示）と、キャリッジ４４の図面下部に備えられ、インクを噴射する記録ヘッド（不図示）と、キャリッジ移動部と用紙搬送部と記録ヘッドとを制御する制御部（不図示）とを含んで構成される。
【００２２】
キャリッジ移動部は、インクカートリッジ４１が搭載されたキャリッジ４４を幅方向Ｄ１に案内するガイド軸４３、キャリッジ４４に固定されたベルト４２、ベルト４２を回転駆動するキャリッジ駆動モーター（不図示）を含んで構成される。
【００２３】
用紙搬送部は、用紙Ｐを搬送する搬送ローラー（不図示）、搬送ローラーを回転駆動する紙送りモーター（不図示）を含んで構成される。用紙搬送部は、記録媒体積載部６から給送された用紙Ｐを、搬送経路に沿って搬送する。
【００２４】
記録部は、用紙搬送部によって搬送される用紙Ｐに対して、キャリッジ移動部によってキャリッジ４４を幅方向Ｄ１に移動しながら、記録ヘッドからインクを噴射し、用紙Ｐに文字や画像を記録する。文字や画像が記録された用紙Ｐは、排紙用開口部４５から用紙トレイ４６に排出される。
【００２５】
図２は、本実施形態における給送装置１１０の外観斜視図である。給送装置１１０は、記録媒体ガイド装置１と、軸３０と一体に回転する給送ローラー３１と、給送ローラー３１との間で用紙Ｐの搬送経路を構成する搬送経路構成部材３２と、フレーム３３とを備えている。
【００２６】
記録媒体ガイド装置１における記録媒体積載部６は、フレーム３３の両サイドに位置する側壁３４，３５に揺動可能に軸支され、駆動源（不図示）からの動力が伝達されて、記録媒体積載部６の積載面９が給送ローラー３１に近接する状態となるホッパーアップと、積載面９が給送ローラー３１から離れる状態となるホッパーダウンの間で揺動する。ホッパーアップの状態で給送ローラー３１に用紙Ｐを圧接し、その圧接状態で給送ローラー３１を回転することで用紙Ｐが給送されるようになっている。
【００２７】
図３は、記録媒体ガイド装置１の正面図である。図４は、記録媒体積載部６の一部を図３の図面裏側から見た外観斜視図である。図３、図４の記録媒体積載部６の給送方向Ｄ２の上流側端部に、幅方向Ｄ１に伸びる第１の摺動面７が形成されている。
【００２８】
図４に示すように、第１の摺動面７の面が向く方向は給送方向Ｄ２における上流方向である。すなわち、第１の摺動面７は、給送方向Ｄ２における上流側に形成されている。
【００２９】
記録媒体積載部６には、幅方向Ｄ１に伸びる開口部１１が設けられる。開口部１１の給送方向Ｄ２における上流側に、幅方向Ｄ１に伸びる第２の摺動面８が形成されている。第２の摺動面８は、第１の摺動面７と平行に並ぶようにして設けられている。
【００３０】
第２の摺動面８の面が向く方向は給送方向Ｄ２における下流方向である。すなわち、第２の摺動面８は、給送方向Ｄ２における下流側に形成されている。
【００３１】
図３の開口部１１の図面裏側の図面上端と下端は、複数の連結部１０によって部分的に連結される。図４に示すように、連結部１０は、開口部１１に接し、図３の図面裏側に面が形成された面１１ａ，１１ｂに備えられる。そのため、第２の摺動面８は、連結部１０によって遮断されることなく、幅方向Ｄ１に伸びるように形成される。
【００３２】
図３の記録媒体積載部６には、幅方向Ｄ１に伸びる開口部１５が設けられる。図４の開口部１５の給送方向Ｄ２における上流側の面には、給送方向Ｄ２における下流側に突出し、幅方向Ｄ１に伸びる第３の摺動面１２が形成されている。
【００３３】
図３の開口部１５の図面裏側の図面上端と下端は、複数の連結部１４によって部分的に連結される。図４に示すように、連結部１４は、開口部１５に接し、図３の図面裏側に面が形成された面１５ａ，１５ｂに備えられる。そのため、第３の摺動面１２は、連結部１４によって遮断されることなく、幅方向Ｄ１に伸びるように形成される。
【００３４】
図３の移動部２は、移動本体部４とエッジガイド３とを含んで構成される。エッジガイド３の規制面１３は、図１の用紙Ｐの図面左側の端部を規制する。
【００３５】
軸部１６，１８は、図１の側壁３４，３５に設けられた軸受け部（不図示）にそれぞれ軸支される。係止部１７は、軸部１６，１８を回転軸として、ホッパーアップとホッパーダウンの状態に揺動させるための被係止部（不図示）と係合する。
【００３６】
図３の移動本体部４の積載面４ａと記録媒体積載部６の積載面９とは、用紙Ｐの厚さ方向における高さが略同じになるように備えられている。これにより、移動部２が幅方向Ｄ１における任意の位置にあるとき、記録媒体ガイド装置１に積載された用紙Ｐの厚さ方向の高さを用紙Ｐの全面において略同じ高さにすることができる。
【００３７】
図５は、記録媒体積載部６から取り外した移動部２を、図３の図面裏側から見た外観斜視図である。図５の移動本体部４の裏面４ｂには、幅方向Ｄ１に伸びるＬ字状係合部２２が設けられている。Ｌ字状係合部２２と裏面４ｂにより、図面下方向に開口し、幅方向Ｄ１に伸びる溝部２３が形成される。
【００３８】
図５の移動本体部４の裏面４ｂには、幅方向Ｄ１に伸びるＬ字状係合部２４が設けられている。Ｌ字状係合部２４と裏面４ｂにより、図面上方向に開口し、幅方向Ｄ１に伸びる溝部２５が形成される。
【００３９】
図５のエッジガイド３には、当接部２０が設けられる。当接部２０には、面の向きが、給送方向Ｄ２における下流側を向く当接面２０ａが形成されている。
【００４０】
当接部２０における当接面２０ａの位置は、エッジガイド３の給送方向Ｄ２の長さＥにおける中央の位置Ｆより上流側に設けられている。
【００４１】
また、エッジガイド３には、幅方向Ｄ１における当接部２０の位置に板状当接部材２１が設けられる。板状当接部材２１には、面の向きが、給送方向Ｄ２における上流側を向く当接面２１ａが形成されている。当接面２０ａと当接面２１ａとは、給送方向Ｄ２において対向するように備えられる。
【００４２】
板状当接部材２１の一方の端はエッジガイド３に固定される。板状当接部材２１の他方の端は弾性部材であるコイルバネ５の一端と固定される。コイルバネ５の他端はエッジガイド３に固定されている。
【００４３】
コイルバネ５は板状当接部材２１に対して給送方向Ｄ２と反対方向である付勢方向Ｃ１に付勢する。コイルバネ５による付勢力によって、板状当接部材２１は付勢方向Ｃ１に撓み、当接面２０ａと当接面２１ａとの給送方向Ｄ２の距離が短くなる。
【００４４】
使用者は、エッジガイド３を手に持って移動部２を幅方向Ｄ１に移動させようとするとき、心理的にエッジガイド３の給送方向Ｄ２における上流側の部分を持とうとする場合が多いと考えられる。そこで、プリンター１００のエッジガイド３には、エッジガイド３の給送方向Ｄ２の長さＥにおける中央の位置Ｆより上流側の位置に、用紙Ｐの厚さ方向に長く突き出した取っ手部２７が設けられる。
【００４５】
図６は、図３に示した矢視Ａ−Ａ断面におけるエッジガイド３と記録媒体積載部６の断面図である。エッジガイド３の当接部２０に設けられた当接面２０ａ（図５参照）は、記録媒体積載部６の第１の摺動面７（図４参照）と幅方向Ｄ１に摺動可能に、給送方向Ｄ２における上流側から当接する。
【００４６】
図６のエッジガイド３の板状当接部材２１に設けられた当接面２１ａ（図５参照）は、記録媒体積載部６の第２の摺動面８（図４参照）と幅方向Ｄ１に摺動可能に、給送方向Ｄ２における下流側から当接する。
【００４７】
コイルバネ５と板状当接部材２１とによって構成される付勢部は、幅方向Ｄ１における当接部２０の位置で、付勢方向Ｃ１に、第２の摺動面８を付勢する。これにより、記録媒体積載部６に対する移動部２の幅方向Ｄ１の位置が固定される。
【００４８】
図６のエッジガイド３の図面下方の当接面２６（図５参照）は、記録媒体積載部６の図面下方に形成された摺動面１９（図３参照）と、幅方向Ｄ１に摺動可能に当接する。
【００４９】
図７は、図３に示した矢視Ｂ−Ｂ断面における移動本体部４と記録媒体積載部６の断面図である。移動本体部４のＬ字状係合部２２によって形成された溝部２３（図５参照）は、記録媒体積載部６の第１の摺動面７（図４参照）と幅方向Ｄ１に摺動可能に当接する。
【００５０】
移動本体部４のＬ字状係合部２４によって形成された溝部２５（図５参照）は、記録媒体積載部６の第３の摺動面１２（図４参照）と幅方向Ｄ１に摺動可能に当接する。
【００５１】
以上、説明した本実施形態の記録媒体ガイド装置１は、図３、図４の幅方向Ｄ１に伸び、幅方向Ｄ１と直交する給送方向Ｄ２側に面が形成された第１の摺動面７と、第１の摺動面７と平行に並び、給送方向Ｄ２側に面が形成された第２の摺動面８とを有し、用紙Ｐを積載する記録媒体積載部６と、記録媒体積載部６において幅方向Ｄ１に移動する移動部２と、移動部２に設けられ、幅方向Ｄ１における用紙Ｐの端部を規制するエッジガイド３と、を備え、図５の移動部２には、第１の摺動面７に摺動可能に給送方向Ｄ２から当接する当接部２０と、幅方向Ｄ１における当接部２０の位置で、第２の摺動面８に摺動可能に給送方向Ｄ２から当接し、第２の摺動面８を給送方向Ｄ２に付勢する付勢部としての板状当接部材２１とコイルバネ５と、が備えられる。
【００５２】
この構成によれば、記録媒体積載部６に移動部２を固定するための手段として、ノッチと係止突起などの係合部を設けなくても、記録媒体積載部６に対する移動部２の幅方向Ｄ１の位置を固定することができる。そのため、係合部における係合状態と非係合状態とを切り換えるための操作部を設ける必要がない。従って、エッジガイドの幅方向Ｄ１における位置を固定するための手段を備えると、記録媒体ガイド装置が大型化してしまうことを抑制できる。
【００５３】
また、付勢部は、記録媒体積載部６の第２の摺動面８を給送方向Ｄ２から付勢するので、使用者が手動でエッジガイド３を幅方向Ｄ１に移動させたとき、給送方向Ｄ２に対するエッジガイド３の傾斜角度を小さくすることができる。これにより、給送方向Ｄ２に対して、用紙Ｐが傾斜してしまうことを抑制できる。
【００５４】
また、当接部２０と、板状当接部材２１とコイルバネ５によって構成される付勢部とを、エッジガイド３の内部に備える。
【００５５】
これにより、記録媒体ガイド装置１の幅方向Ｄ１の長さを短くすることができる。
【００５６】
また、前述したように、図５のエッジガイド３には、エッジガイド３の給送方向Ｄ２の長さＥにおける中央の位置Ｆより上流側の位置に、用紙Ｐの厚さ方向に長く突き出した取っ手部２７が設けられ、当接部２０の当接面２０ａが、エッジガイド３の給送方向Ｄ２における中央の位置Ｆより上流側に設けられている。
【００５７】
この構成によれば、給送方向Ｄ２において、使用者がエッジガイド３の取っ手部２７を持つ位置から当接部２０の当接面２０ａまでの距離を小さくできる。そのため、使用者が取っ手部２７を持ったとき、移動部２を、記録媒体積載部６の積載面９の面方向において、当接面２０ａと第１の摺動面７とが当接する位置を支点として回転させようとする回転モーメントが小さくなるので、給送方向Ｄ２に対するエッジガイド３の傾斜角度を小さくすることができる。
【００５８】
また、付勢部は、給送方向Ｄ２と反対方向である付勢方向Ｃ１に付勢する。
【００５９】
移動部２の自重により、移動部２に備えられた当接部２０の当接面２０ａが、第１の摺動面７に対して給送方向Ｄ２に力が作用する。また、使用者が移動部２を操作するときの力の作用方向により、当接面２０ａが、第１の摺動面７に対して給送方向Ｄ２に力が作用する場合が多い。そのため、当接部２０の当接面２０ａが、第１の摺動面７に当接する。
【００６０】
そこで、移動部３に備えられた付勢部が第２の摺動面８に対して給送方向Ｄ２と反対方向から付勢するようにすれば、当接部２０と第１の摺動面７との間、および板状当接部材２１と第２の摺動面８との間に隙間が生じることがないので、給送方向Ｄ２に対するエッジガイド３の傾斜角度を小さくすることができる。
【００６１】
本実施形態では、第１の摺動面７と第２の摺動面８とは平行に並んで備えられていたが、第１の摺動面７に対して第２の摺動面８が傾斜するようにして、第１の摺動面７と第２の摺動面８とが略平行に並ぶようにして備えてもよい。
【００６２】
そのようにすることで、移動部２が幅方向Ｄ１に移動するに伴って、当接部２０の当接面２０ａと板状当接部材２１の当接面２１ａとの給送方向Ｄ２の距離が変化することで、付勢部による付勢力を変化させることができる。
【００６３】
本実施形態では、板状当接部材２１とコイルバネ５によって付勢部を構成したが、一つの部材で付勢部を構成してもよい。図８は、付勢部を構成する一つの部材としての板状バネ５０をエッジガイド３に備えた図である。
【００６４】
図８の当接部２０は、幅方向Ｄ１に伸びる第１の摺動面７に、幅方向Ｄ１に摺動可能に当接する。板状バネ５０は、幅方向Ｄ１に伸びる第２の摺動面８に、幅方向Ｄ１に摺動可能に当接し、付勢方向Ｃ１に付勢する。これにより、製造コストの上昇を抑制できる。
【００６５】
また、本実施形態では、当接部２０と、板状当接部材２１とコイルバネ５によって構成される付勢部とを、エッジガイド３に備えたが、付勢部を図５の移動本体部４に備えてもよい。これにより、エッジガイド３の幅方向Ｄ１の長さを短くできるので、記録媒体ガイド装置の幅方向Ｄ１の長さを短くできる。
【００６６】
また、本実施形態では、移動部２の幅方向Ｄ１における位置を固定するために、当接部２０と付勢部によって、第１の摺動面７と第２の摺動面８を挟むようにして付勢したが、第１の摺動面と第２の摺動面を押し広げるように付勢してもよい。
【００６７】
図９（ａ）は、本実施形態における第１の摺動面７、第２の摺動面８、当接部２０、付勢部２８を配置した模式図である。本実施形態で説明したように、当接部２０を給送方向Ｄ２における第１の摺動面７の上流側に配置し、板状当接部材２１とコイルバネ５によって構成される付勢部２８を給送方向Ｄ２における第２の摺動面８の下流側に配置する。
【００６８】
そして、付勢部２８によって、第２の摺動面８を給送方向Ｄ２と反対方向である付勢方向Ｃ１に付勢し、当接部２０と付勢部２８によって、第１の摺動面７と第２の摺動面８を給送方向Ｄ２において挟むようにして付勢する。
【００６９】
図９（ｂ）では、当接部５３を給送方向Ｄ２における第１の摺動面５１の下流側に配置し、付勢部５４を給送方向Ｄ２における第２の摺動面５２の上流側に配置し、付勢部５４によって、第２の摺動面５２を給送方向Ｄ２である付勢方向Ｃ２に付勢し、当接部５３と付勢部５４によって、第１の摺動面５１と第２の摺動面５２を給送方向Ｄ２において押し広げるようにして付勢する。
【００７０】
本実施形態では、記録媒体としての用紙Ｐを記録媒体ガイド装置１に搭載する場合について説明したが、ＣＤやＤＶＤなどの記録媒体を載せたトレイを記録媒体ガイド装置に搭載する場合にも適用する。
【００７１】
本実施形態で説明した給送装置を、電子写真方式を用いたプリンターなどの記録装置に備えてもよい。あるいは、本実施形態の給送装置を、記録装置としての、複写機やファクシミリなどに備えてもよい。
【符号の説明】
【００７２】
１…記録媒体ガイド装置、２…移動部、３…エッジガイド、５…コイルバネ、６…記録媒体積載部、７…第１の摺動面、８…第２の摺動面、２０，５３…当接部、２１…板状当接部材、２８，５４…付勢部、５０…板状バネ、５１…第１の摺動面、５２…第２の摺動面、１００…インクジェットプリンター、１１０…給送装置、Ｄ１…用紙の幅方向、Ｄ２…給送方向、Ｐ…用紙。
【図１】
2012111631.tif 000003
【図２】
2012111631.tif 000004
【図３】
2012111631.tif 000005
【図４】
2012111631.tif 000006
【図５】
2012111631.tif 000007
【図６】
2012111631.tif 000008
【図７】
2012111631.tif 000009
【図８】
2012111631.tif 000010
【図９】
2012111631.tif 000011